(57)【特許請求の範囲】
【請求項１】
紙葉類を処理する紙葉類処理装置において、
紙葉類の少なくとも識別情報を識別する識別部と、
前記識別部で識別された紙葉類を集積する集積部と、
前記識別部で識別された紙葉類の識別情報を記憶部に出力する制御部と、
を備え、
前記識別部は、前記識別情報が前記記憶部に出力され、前記集積部に集積された紙葉類を取り出して再度識別する再識別処理に用いられ、
前記制御部は、前記再識別処理された紙葉類の枚数から、前記記憶部に記憶された識別情報の書き換えの対象となる紙葉類の枚数を確定してその紙葉類の識別情報を前記記憶部から消去し、前記再識別処理された紙葉類の識別情報を前記記憶部に記憶させることを特徴とする紙葉類処理装置。
【請求項２】
前記制御部は、取引をキャンセルする処理が発生したことを条件として前記再識別処理を実行することを特徴とする請求項１に記載の紙葉類処理装置。
【請求項３】
前記識別部で識別された前記紙葉類を搬送する搬送部を備え、
前記制御部は、前記搬送部での搬送エラーが解除されたことを条件として前記再識別処理を実行することを特徴とする請求項１又は２のいずれかに記載の紙葉類処理装置。
【請求項４】
前記再識別処理の対象とする紙葉類は、既に確定処理がなされた取引に含まれる紙葉類を含むことを特徴とする請求項１乃至３のいずれか１項に記載の紙葉類処理装置。
【請求項５】
前記集積部は、帯封するための紙葉類を集積する帯封一時保留部を含むことを特徴とする請求項１乃至４のいずれか１項に記載の紙葉類処理装置。
【請求項６】
紙葉類の少なくとも識別情報を識別する識別部及び前記識別部で識別された紙葉類を集積する集積部を有する紙葉類処理装置から前記識別情報に関する情報を取得し、当該識別情報を管理する管理装置であって、
前記識別部で識別された紙葉類の識別情報を記憶する記憶部を備え、
前記紙葉類処理装置において前記識別情報が前記記憶部に出力され、前記集積部に集積された紙葉類を取り出して再度識別する再識別処理が行われた場合に、前記再識別処理された紙葉類の枚数から、前記記憶部に記憶された識別情報の書き換えの対象となる紙葉類の枚数を確定してその紙葉類の識別情報を前記記憶部から消去し、前記再識別処理された紙葉類の識別情報を前記記憶部に記憶させることを特徴とする管理装置。
【請求項７】
紙葉類の少なくとも識別情報を識別する識別部及び前記識別部で識別された紙葉類を集積する集積部を有する紙葉類処理装置を用いた紙葉類処理方法であって、
紙葉類の少なくとも識別情報を前記識別部により識別する識別工程と、
前記識別部で識別された紙葉類の識別情報を記憶部に出力する制御工程と、
前記識別情報が前記記憶部に出力され、前記集積部に集積された紙葉類を取り出して再度識別する再識別処理工程と
を含み、
前記制御工程は、前記再識別処理工程により再度識別された紙葉類の枚数から、前記記憶部に記憶された識別情報の書き換えの対象となる紙葉類の枚数を確定してその紙葉類の識別情報を前記記憶部から消去し、前記再識別処理された紙葉類の識別情報を前記記憶部に記憶させることを特徴とする紙葉類処理方法。
【発明の詳細な説明】
【技術分野】
【０００１】
本発明は、紙葉類処理装置、管理装置及び紙葉類処理方法に関する。
【背景技術】
【０００２】
従来から、紙葉類を受け入れるための受入部と、受入部で受け入れられた紙葉類を搬送するための搬送部と、搬送部で搬送された紙葉類を識別する識別部と、識別部で識別された紙葉類を集積する集積部とを備えた紙葉類処理装置が知られている（例えば、特許文献１及び２参照）。なお、特許文献２では、取引がキャンセルされた場合やエラーが発生した場合に紙葉類を再計数（再識別処理）することが開示されている。また、従来から上述した識別部が紙幣の記番号といった紙葉類の識別情報を識別することも知られている（特許文献３参照）。
【先行技術文献】
【特許文献】
【０００３】
【特許文献１】特開２０１２−２５０７４５号公報
【特許文献２】特許第５２９１７２３号公報
【特許文献３】特開２０１４−０５９８３０号公報
【発明の概要】
【発明が解決しようとする課題】
【０００４】
従来の紙葉類処理装置では、識別部で識別されて集積部に集積された紙葉類の識別情報（典型的には紙幣の記番号）を記憶したり管理したりすることはできるが、紙葉類に関する取引をキャンセルしたりエラーが発生したことにより、集積部に集積済みの紙葉類を取り除いて再計数（再識別処理）したとき等であっても記憶部に記憶された識別情報の修正が行われない。このため、記憶部に記憶されている紙葉類の識別情報と、実際に集積部に集積されて後工程にまわされた紙葉類（計数結果が確定された紙葉類）の識別情報とが合致しない可能性がある。
【０００５】
本発明は、このような点を鑑みてなされたものであり、記憶部に記憶されている紙葉類の識別情報と、実際に集積部に集積されて実際に後工程にまわされる紙葉類（計数結果が確定された紙葉類）の識別情報とを合致させることができる紙葉類処理装置、管理装置及び紙葉類処理方法を提供する。
【課題を解決するための手段】
【０００６】
本発明による紙葉類処理装置は、
紙葉類を処理する紙葉類処理装置において、
紙葉類の少なくとも識別情報を識別する識別部と、
前記識別部で識別された紙葉類を集積する集積部と、
前記識別部で識別された紙葉類の識別情報を記憶部に出力する制御部と、
を備え、
前記識別部は、前記識別情報が前記記憶部に出力され、前記集積部に集積された紙葉類を取り出して再度識別する再識別処理に用いられ、
前記制御部は、前記再識別処理された紙葉類の枚数から、前記記憶部に記憶された識別情報の書き換えの対象となる紙葉類の枚数を確定してその紙葉類の識別情報を前記記憶部から消去し、前記再識別処理された紙葉類の識別情報を前記記憶部に記憶させる。
【０００７】
本発明による紙葉類処理装置において、
前記制御部は、取引をキャンセルする処理が発生したことを条件として前記再識別処理を実行してもよい。
【０００８】
本発明による紙葉類処理装置は、
前記識別部で識別された前記紙葉類を搬送する搬送部を備え、
前記制御部は、前記搬送部での搬送エラーが解除されたことを条件として前記再識別処理を実行してもよい。
【００１１】
本発明による紙葉類処理装置において、
前記再識別処理の対象とする紙葉類は、既に確定処理がなされた取引に含まれる紙葉類を含んでもよい。
【００１４】
本発明による紙葉類処理装置は、
前記集積部は、帯封するための紙葉類を集積する帯封一時保留部を含んでもよい。
【００１５】
本発明による管理装置は、
紙葉類の少なくとも識別情報を識別する識別部及び前記識別部で識別された紙葉類を集積する集積部を有する紙葉類処理装置から前記識別情報に関する情報を取得し、当該識別情報を管理する管理装置であって、
前記識別部で識別された紙葉類の識別情報を記憶する記憶部を備え、
前記紙葉類処理装置において前記識別情報が前記記憶部に出力され、前記集積部に集積された紙葉類を取り出して再度識別する再識別処理が行われた場合に、前記再識別処理された紙葉類の枚数から、前記記憶部に記憶された識別情報の書き換えの対象となる紙葉類の枚数を確定してその紙葉類の識別情報を前記記憶部から消去し、前記再識別処理された紙葉類の識別情報を前記記憶部に記憶させる。
【００１６】
本発明による紙葉類処理方法は、
紙葉類の少なくとも識別情報を識別する識別部及び前記識別部で識別された紙葉類を集積する集積部を有する紙葉類処理装置を用いた紙葉類処理方法であって、
紙葉類の少なくとも識別情報を前記識別部により識別する識別工程と、
前記識別部で識別された紙葉類の識別情報を記憶部に出力する制御工程と、
前記識別情報が前記記憶部に出力され、前記集積部に集積された紙葉類を取り出して再度識別する再識別処理工程と
を含み、
前記制御工程は、前記再識別処理工程により再度識別された紙葉類の枚数から、前記記憶部に記憶された識別情報の書き換えの対象となる紙葉類の枚数を確定してその紙葉類の識別情報を前記記憶部から消去し、前記再識別処理された紙葉類の識別情報を前記記憶部に記憶させる。
【発明の効果】
【００１７】
本発明によれば、記憶部に記憶されている紙葉類の識別情報と、実際に後工程にまわされる紙葉類の識別情報とを合致させることができる。
【図面の簡単な説明】
【００１８】
【図１】図１は、本発明の第１の実施の形態による紙葉類処理装置の外観を示す斜視図である。
【図２】図２は、本発明の第１の実施の形態による紙葉類処理装置の構成を示す概略縦断面図である。
【図３】図３は、本発明の第１の実施の形態による紙葉類処理装置の制御ブロック図である。
【図４】図４は、本発明の第１の実施の形態による紙葉類処理装置で用いられる結束後搬送部の一部の外観を示した斜視図である。
【図５】図５は、本発明の第１の実施の形態による紙葉類処理装置で用いられる結束後搬送部の押出機構の外観を示した斜視図である。
【図６】図６は、本発明の第１の実施の形態による紙葉類処理システムの一例を示す概略構成図である。
【図７】図７は、本発明の第１の実施の形態による紙葉類処理システムの別の例を示す概略構成図である。
【図８】図８は、本発明の第１の実施の形態による実施例１を説明するための図である。
【図９】図９は、本発明の第１の実施の形態による実施例２を説明するための図である。
【図１０】図１０は、本発明の第１の実施の形態による実施例３を説明するための図である。
【図１１】図１１は、比較例を説明するための図である。
【図１２】図１２は、本発明の第２の実施の形態による実施例４を説明するための図である。
【図１３】図１３は、本発明の第２の実施の形態による実施例５を説明するための図である。
【図１４】図１４は、本発明の第２の実施の形態による実施例６を説明するための図である。
【発明を実施するための形態】
【００１９】
第１の実施の形態
《構成》
以下、本発明に係る紙葉類処理装置、紙葉類処理システム、管理装置及び紙葉類処理方法の第１の実施の形態について、図面を参照して説明する。ここで、図１乃至図１０は本発明の実施の形態を説明するための図である。
【００２０】
なお、本願において「紙葉類処理システム」は「紙葉類処理装置」単体を含む概念として用いられている。このため、本願において「紙葉類処理システム」という文言を用いた場合には、紙葉類処理装置１００そのものを意味することもあれば、紙葉類処理装置１００とそれ以外の装置とを組み合わせたものを意味することもある。なお、本願における「紙葉類」とは、紙幣、小切手、商品券、帳票等のことを意味するが、代表的なものとしては紙幣を意味する。
【００２１】
図１及び図２に示すように、本実施の形態の紙葉類処理装置１００は、筐体１と、筐体１に設けられて複数の紙葉類を受け入れる受入部１１と、受入部１１で受け入れられた紙葉類を１枚ずつ取り込む取込部１０と、を備えている。図２に示すように、本実施の形態の紙葉類処理装置１００は、取込部１０から筐体１内に取り込まれた紙葉類を一枚ずつ搬送する搬送部７０と、搬送部７０で搬送された紙葉類を識別して計数する識別部５５と、後述するスタッカ６０（６０ａ−６０ｄ）に集積されない紙葉類をリジェクトする複数のリジェクト部６５（６５ａ，６５ｂ）と、を備えている。なお、本実施の形態の識別部５５は、少なくとも紙葉類を一意に特定できる情報である識別情報（識別番号、識別記号、シリアル番号等）を識別し、紙幣を識別する際には、例えば、紙幣の記番号と、紙幣の金種、正損、表裏、新旧、方向、真偽等を識別する。
【００２２】
また、図２に示すように、本実施の形態の紙葉類処理装置１００は、識別部５５で識別された紙葉類を集積する複数のスタッカ６０（６０ａ−６０ｄ）を備えている。このスタッカ６０ａ−６０ｄは、前面が開口しており、オペレータはスタッカ６０ａ−６０ｄ内の紙葉類を自由に取り出すことができる。なお、このスタッカ６０ａ−６０ｄは特許請求の範囲に記載された「集積部」に含まれている。また、図１に示すように、スタッカ６０ａ−６０ｄの各々に対応するように所定の情報を表示する個別表示部６２ａ−６２ｄが設けられている。また、図２に示すように、スタッカ６０ａ−６０ｄにはスタッカ６０ａ−６０ｄ内に紙葉類が集積されているか否かを検知するためのセンサ７３が設けられている。なお、スタッカ６０内に集積された紙葉類は取引が確定される度に取り除かれてもよいが、確定処理がなされた取引の紙葉類がそのまま残されていてもよく、すなわち残置運用を採用することもできる。
【００２３】
また、本実施の形態の紙葉類処理装置１００は、例えば１００枚といった所定枚数の紙葉類を結束する紙葉類結束ユニット２００を備えている。なお、本実施の形態では紙葉類結束ユニット２００が一つだけ設けられた態様を用いて説明するが、これはあくまでも一例であり、複数の紙葉類結束ユニット２００が設けられてもよい。
【００２４】
また、本実施の形態の紙葉類処理装置１００は、紙葉類を反転させる紙葉類反転部９１，９５を含んだ紙葉類反転ユニット９０も備えている。この紙葉類反転部９１，９５は、搬送部７０で紙葉類を短手方向に搬送した場合、搬送されている紙葉類をその短手方向の向きが逆向きになるように表裏反転させる短手反転部９５と、搬送部７０で搬送されている紙葉類をその長手方向の向きが逆向きになるように表裏反転させる長手反転部９１とを有している。なお、これら短手反転部９５及び長手反転部９１で紙葉類を反転させる方法の詳細についてはＷＯ２０１０／０９７９５４号に開示されていることから、詳細な説明は省略する。
【００２５】
また、図２に示すように、搬送部７０には、搬送部７０で搬送される紙葉類を適宜分岐するための複数の分岐部材７１が設けられている。また、搬送部７０には、搬送部７０を通過する紙葉類を検知したり、紙葉類の有無を検知したりするための複数のセンサ７２が設けられている。なお、受入部１１に設けられたセンサ７２は、受入部１１内に紙葉類があるか否かを判断するために用いられる。
【００２６】
また、本実施の形態の紙葉類結束ユニット２００は、搬送部７０で搬送された結束用の複数の紙葉類を集積するための複数の帯封一時保留部２１０（２１０ａ−２１０ｃ）と、帯封一時保留部２１０ａ−２１０ｃに集積された紙葉類を結束帯で結束して紙葉類束を生成するための結束部２５０と、を有している。また、帯封一時保留部２１０ａ−２１０ｃには帯封一時保留部２１０ａ−２１０ｃ内に紙葉類が集積されているか否かを検知するためのセンサ２１３（図３参照）が設けられている。なお、帯封一時保留部２１０ａ−２１０ｃは帯封するための紙葉類を集積するための部材であり、特許請求の範囲に記載された「集積部」に含まれている。ちなみに、本実施の形態の帯封一時保留部２１０ａ−２１０ｃに集積された紙葉類の再識別処理を行う際には、紙葉類結束ユニット２００を開けて帯封一時保留部２１０ａ−２１０ｃに集積された紙葉類を取り出す必要があるが、これに限られることはない。一例としては、帯封一時保留部に集積された紙葉類は搬送部７０に繰り出し可能となってもよく、帯封一時保留部に集積された紙葉類の再識別処理を行う際に帯封一時保留部から紙葉類が繰り出されて、当該紙葉類に対して再識別処理が行われてもよい。
【００２７】
以下では、スタッカ６０、帯封一時保留部２１０又はスタッカ６０及び帯封一時保留部２１０の両方を示す用語として「集積部６０，２１０」を用いる。
【００２８】
また、紙葉類結束ユニット２００は、帯封一時保留部２１０ａ−２１０ｃから結束部２５０に結束用の紙葉類を搬送するための結束前搬送部２２０と、結束部２５０から紙葉類束を搬送するための結束後搬送部２６０と、結束後搬送部２６０で搬送される結束された紙葉類束を収容する紙葉類束集積部２７０も有している。なお、紙葉類束集積部２７０に収容された紙葉類束は、当該紙葉類束集積部２７０によって、束放出部２８０（図１参照）から放出することができる。上述した結束部２５０は、例えば１００枚の紙葉類に結束帯を巻き掛け、当該結束帯を止めることで、紙葉類を結束して紙葉類束とする。また、本実施の形態では、帯封一時保留部２１０ａ−２１０ｃに集積された紙葉類を、結束前搬送部２２０により結束部２５０に搬送する構成としたが、このような態様に限られることはなく、帯封一時保留部２１０ａ−２１０ｃに集積された状態の紙葉類を、そのまま結束部で結束する態様としてもよい。
【００２９】
また、図１に示すように、紙葉類結束ユニット２００は、取引終了時に帯封一時保留部２１０ａ−２１０ｃに集積されている端数の紙葉類をオペレータに放出する端数返却口２８５も有している。
【００３０】
本実施の形態の紙葉類処理装置１００は、例えばタッチパネル等からなり所定の情報を表示するとともに、所定の情報を入力することができる操作表示部５９も備えている。この操作表示部５９は、操作部及び表示部の両方の役割を果たしているが、このような態様に限られることはない。つまり、操作部と表示部とが別体となっていてもよい。
【００３１】
図２に示すように、結束後搬送部２６０は、結束部２５０で結束された紙葉類束を把持搬送する把持搬送部２６１と、把持搬送部２６１で把持搬送された紙葉類束を上方に搬送する紙葉類束リフト部２６２と、この紙葉類束リフト部２６２で搬送された紙葉類束を束放出部２８０の方向（図２の紙面の表面側）に押し出す押出機構２６５（図５参照）と、を有している。そして、この押出機構２６５によって、紙葉類束が、図４に示すように、紙葉類束リフト部２６２の上方から開閉部２６９の上方まで押し出され、開閉可能な開閉部２６９が開状態になることで、当該紙葉類束が紙葉類束集積部２７０内に落下して集積される。本実施の形態の押出機構２６５は、図５に示すように、紙葉類の後端を押す押出部２６５ａと、この押出部２６５ａを前後方向（図５の矢印Ａの方向）で往復移動させる往復駆動ベルト２６５ｂとを有している。
【００３２】
また、図３に示すように、本実施の形態の紙葉類処理装置１００は、様々な情報を記憶する紙葉類記憶部５６と、識別部５５で識別された紙葉類の識別情報を紙葉類記憶部５６に出力する制御部５０も備えている。そして、この制御部５０は、再識別処理（又は、いわゆる「戻し処理」）において、識別部５５で紙葉類の識別情報が識別されると、当該識別情報に基づいて紙葉類記憶部５６に記憶されていた識別情報を修正する。識別部５５で識別された紙葉類の識別情報を紙葉類記憶部５６に出力する条件（タイミング）は様々であり、上記のように識別部５５で紙葉類の識別情報が識別されたことを条件（タイミング）としてもよいが、その他に、受入部１１に載置された紙葉類の全てが集積部６０，２１０に集積されたことを条件としてもよいし、操作表示部５９から取引確定が入力されたことを条件としてもよいし、集積部６０，２１０から紙葉類が抜き取られたことを条件としてもよいし、特に帯封一時保留部２１０に集積された紙幣については、帯封一時保留部２１０から抜き取られ、結束部２５０で結束されたことを条件としてもよい。
【００３３】
ちなみに、情報を記憶するための記憶部は外部装置に設けられていてもよい。なお、本実施の形態において外部装置とは、対象となっている装置以外の装置のことを意味し、例えば紙葉類処理装置１００から見た場合には紙葉類処理装置１００以外のあらゆる装置が外部装置に該当する。
【００３４】
一例を示すと、紙葉類処理装置１００から識別情報に関する情報を取得し、当該識別情報を管理する管理装置５００が設けられてもよい（図６及び図７参照）。この管理装置５００は、識別部５５で識別された紙葉類の識別情報を記憶する管理記憶部５６０（この管理記憶部５６０も特許請求の範囲に記載された「記憶部」に含まれる。）を有している。そして、紙葉類処理装置１００で行われる再識別処理において、識別部５５で紙葉類の識別情報が識別されると、当該識別情報に基づいて管理記憶部５６０に記憶されていた識別情報が修正されることとなる。
【００３５】
管理装置５００は、図６に示すように、一つの紙葉類処理装置１００に対して一つだけ設けられてもよいが、図７に示すように、複数の紙葉類処理装置１００が設けられ、複数の紙葉類処理装置１００に対して一つの管理装置５００が設けられていてもよい。また、紙葉類の識別情報は、紙葉類記憶部５６及び管理記憶部５６０のいずれか一方で記憶されているのではなく、紙葉類記憶部５６と管理記憶部５６０の両方で記憶されてもよい。一例としては、識別部５５で紙葉類の識別情報が識別されると、まず紙葉類記憶部５６で当該紙葉類の識別情報が記憶され、その後で、随時又はある程度まとめて、紙葉類記憶部５６で記憶された紙葉類の識別情報が管理装置５００へと送られ、当該管理装置５００の管理記憶部５６０で記憶されてもよい。また、紙葉類記憶部５６で記憶されている紙葉類の識別情報は一定期間が経過すると削除されてもよいし、管理装置５００へ識別情報を送った後で一定期間が経過すると削除されてもよい。また、管理記憶部５６０のみで紙葉類の識別情報を管理する場合には、紙葉類記憶部５６では当該紙葉類の識別情報は記憶されず、識別部５５で紙葉類の識別情報が識別されると、そのまま当該紙葉類の識別情報が管理装置５００へ送られて、当該管理装置５００の管理記憶部５６０で記憶されてもよい。以下では、紙葉類記憶部５６、管理記憶部５６０、紙葉類記憶部５６及び管理記憶部５６０の両方、又は、図示していないが外付けの記憶部のことを「記憶部５６，５６０」として示して説明する。
【００３６】
制御部５０は、例えば再識別指令が操作表示部５９から入力されることで再識別処理を実行するようにしてもよい。また、制御部５０は、取引をキャンセルするためのキャンセル指令が操作表示部５９から入力されたことを条件として再識別処理を実行するようにしてもよいし、搬送部７０での搬送エラーが解除されたことを条件として再識別処理を実行するようにしてもよい。このようにキャンセル指令が操作表示部５９から入力されたことや搬送部７０での搬送エラーが解除されたことを条件としている場合には、キャンセル指令が入力された後や搬送エラーが解除された後であって一定時間（例えば数分）以内に紙葉類が受入部１１に載置されることで、制御部５０が再識別処理であると認識して自動的に再識別処理を実行してもよい。また、このような態様とは異なり、キャンセル指令が入力された後や搬送エラーが解除された後で、例えば操作表示部５９から再識別指令が入力されることで再識別処理を実行するようにしてもよい。
【００３７】
なお、再識別処理とは、一度は識別部５５で識別された紙葉類を再度識別させるための処理であるが、再識別処理で処理される紙葉類は必ずしも全てが識別部５５で一度は識別されている必要はなく、その一部に識別部５５で一度も識別されていない紙葉類が含まれていてもよい。ところで一度は識別部５５で識別された紙葉類には、識別部５５を通過したもののスタッカ６０ａ−６０ｄまでの搬送部７０の搬送路上で停止した紙葉類も含まれている。
【００３８】
本実施の形態の制御部５０は、再識別処理において、識別された紙葉類の識別情報に基づいて記憶部５６，５６０に記憶された識別情報を例えば追加して修正するのではなく、識別された紙葉類の識別情報に基づいて記憶部５６，５６０に記憶された識別情報を書き換えて修正するようになっていてもよい。なお、このように記憶部５６，５６０に記憶された識別情報を書き換えて修正する際には、記憶部５６，５６０に記憶された識別情報のうち再識別処理の対象となっている紙葉類の識別情報をまず消去し、その後で、識別された紙葉類の識別情報を記憶部５６，５６０に記憶させてもよい。また、このような態様とは異なり、記憶部５６，５６０に記憶された識別情報を書き換えて修正する際に、記憶部５６，５６０に記憶された識別情報のうち再識別処理の対象となっている紙葉類の識別情報を、識別された紙葉類の識別情報で上書きすることで書き換えて修正してもよい。
【００３９】
なお、再識別処理の対象となっている紙葉類には、既に確定処理がなされた取引に含まれる紙葉類が含まれてもよい。
【００４０】
ちなみに、再識別処理の対象となっている紙葉類の範囲を予め制御部５０が把握している場合には、再識別処理の対象となっている紙葉類は、例えば、再識別処理を行うこととなった原因（取引のキャンセルなのか搬送エラーの解除なのか等）と、集積部６０，２１０に集積されている紙葉類の内容（どの取引までが集積部６０，２１０に集積されているのか等）に基づいて、予め確定されることとなる。なお、集積部６０，２１０に含まれるスタッカ６０ａ−６０ｄを例に取ると、再識別処理の対象となっている紙葉類は、必ずしもスタッカ６０ａ−６０ｄに集積されているものには限られず、スタッカ６０ａ−６０ｄから取り除かれて、例えば載置場所に載置されているものであってもよい（後述する実施例２参照）。
【００４１】
上記のように再識別処理の対象となっている紙葉類の範囲を予め制御部５０が把握していてもよいが、このような態様に限られることはい。例えば、制御部５０は、再識別処理で計数された紙葉類の「枚数」から再識別処理の対象となっている紙葉類の範囲（つまり「枚数」）を確定し、当該再識別処理の対象となっている紙葉類の範囲の識別情報を、識別された紙葉類の識別情報に基づいて書き換えて修正してもよい。
【００４２】
また、制御部５０は、集積部６０，２１０に集積されていた紙葉類を取り出して識別部５５で再度識別させる場合に、記憶部５６，５６０に記憶された識別情報のうち、集積部６０，２１０に集積されていた紙葉類の枚数と同数の識別情報を書き換えて修正してもよい。そして、このように記憶部５６，５６０に記憶された識別情報のうち集積部６０，２１０に集積されていた紙葉類の枚数と同数の識別情報を書き換えて修正する際には、制御部５０は、既に確定処理がなされた取引に含まれる紙葉類の識別情報も書き換えて修正してもよい。
【００４３】
スタッカ６０ａ−６０ｄに集積されている紙葉類の枚数は、対象となるスタッカ６０ａ−６０ｄに搬送された紙葉類の枚数から算出することができる。より具体的には、各スタッカ６０ａ−６０ｄに対応して設けられた分岐部材７１の上流位置のセンサ７２で紙葉類の通過が確認されたが当該分岐部材７１の下流位置のセンサ７２で紙葉類の通過が確認されなかった場合に、当該分岐部材７１で紙葉類が取り込まれて、当該分岐部材７１に対応するスタッカ６０ａ−６０ｄに紙葉類が搬送されたと判断されて、当該スタッカ６０ａ−６０ｄに集積された紙葉類の枚数が加算される。また、スタッカ６０ａ−６０ｄから紙葉類が取り出されたことがセンサ７３で検知されると、当該スタッカ６０ａ−６０ｄ内に集積されている紙葉類が「０枚」にリセットされる。
【００４４】
また、帯封一時保留部２１０ａ−２１０ｃに集積されている紙葉類の枚数も、対象となる帯封一時保留部２１０ａ−２１０ｃに搬送された紙葉類の枚数から算出することができる。より具体的には、各帯封一時保留部２１０ａ−２１０ｃに対応して設けられたセンサ７２で紙葉類の通過が確認された場合に、当該帯封一時保留部２１０ａ−２１０ｃに紙葉類が搬送されたと判断されて、当該帯封一時保留部２１０ａ−２１０ｃに集積された紙葉類の枚数が加算される。また、帯封一時保留部２１０ａ−２１０ｃから紙葉類が取り出されたことがセンサ２１３で検知されると、当該帯封一時保留部２１０ａ−２１０ｃ内に集積されている紙葉類が「０枚」にリセットされる。
【００４５】
ちなみに、上記では操作部及び表示部としての役割を果たす操作表示部５９が紙葉類処理装置１００に設けられている態様を用いて説明したが、これに限られることはなく、指令を入力するための操作部、情報を表示するための表示部は外部装置に設けられていてもよい。また、上記では制御部５０が紙葉類処理装置１００内に設けられている態様を用いて説明したが、これに限られることはなく、紙葉類処理装置１００の制御を行う制御部が外部装置に設けられていてもよい。
【００４６】
《方法》
次に、本実施の形態の紙葉類処理装置１００又は紙葉類処理システムを用いた紙葉類処理方法について説明する。
【００４７】
まず、受入部１１に処理の対象となる紙葉類が載置される。次に、受入部１１に載置された紙葉類が筐体１内に取込部１０によって取り込まれる。このように取込部１０によって取り込まれた紙葉類は搬送部７０で搬送され、識別部５５で識別計数された後で、集積されるべき集積部６０，２１０へと搬送される。なお、識別部５５で正常に識別されなかった紙葉類はリジェクト紙葉類として例えばリジェクト部６５ａ，６５ｂへと搬送される。
【００４８】
識別部５５で紙葉類が識別される際には、紙葉類の少なくとも識別情報（識別番号、識別記号等）が識別部５５で識別される。なお、紙葉類が紙幣である場合には、識別部５５で、例えば、紙幣の識別情報としての記番号と、紙幣の金種、正損、表裏、新旧、方向、真偽等が識別される。このように識別部５５で取得された識別情報等は記憶部５６，５６０に出力され、当該記憶部５６，５６０で記憶されることとなる。
【００４９】
上述のように識別部５５で紙葉類が識別された後で、操作表示部５９から取引を確定する旨の入力が行われることで対象となる紙葉類の取引が確定される。
【００５０】
なお、紙葉類に関して再識別処理が行われる際には、識別部５５で識別された紙葉類の識別情報に基づいて記憶部５６，５６０に記憶されていた識別情報が修正されることとなる。
【００５１】
この再識別処理は、例えば再識別指令が操作表示部５９から入力されることで再識別処理を実行するようにしてもよい。
【００５２】
また、取引をキャンセルするためのキャンセル指令が操作表示部５９から入力されたことを条件として再識別処理を実行するようにしてもよいし、搬送部７０での搬送エラーが解除されたことを条件として再識別処理を実行するようにしてもよい。このようにキャンセル指令が操作表示部５９から入力されたことや搬送部７０での搬送エラーが解除されたことを条件としている場合には、キャンセル指令が入力された後や搬送エラーが解除された後であって一定時間（例えば数分）以内に紙葉類が受入部１１に載置されることで、制御部５０が再識別処理であると認識して自動的に再識別処理を実行してもよい。また、このような態様とは異なり、キャンセル指令が入力された後や搬送エラーが解除された後で、例えば操作表示部５９から再識別指令が入力されることで再識別処理を実行するようにしてもよい。
【００５３】
また、再識別処理では、識別された紙葉類の識別情報に基づいて記憶部５６，５６０に記憶された識別情報を書き換えて修正するようになってもよい。なお、このように記憶部５６，５６０に記憶された識別情報を書き換えて修正する際には、記憶部５６，５６０に記憶された識別情報のうち再識別処理の対象となっている紙葉類の識別情報を予め確定し、このように確定された再識別処理の対象となっている紙葉類の識別情報を書き換えて修正してもよい。また、このような態様に限られることはなく、再識別処理で計数された紙葉類の枚数や再識別処理において集積部６０，２１０に搬送された紙葉類の枚数から再識別処理の対象となっている紙葉類の範囲を確定し、当該再識別処理の対象となっている紙葉類の範囲の識別情報を、識別された紙葉類の識別情報に基づいて書き換えて修正してもよい。
【００５４】
また、再識別処理の対象とする紙葉類には、既に確定処理がなされた取引に含まれる紙葉類が含まれてもよい。
【００５５】
また、集積部６０，２１０に集積されていた紙葉類を取り出して識別部５５で再度識別させる場合には、記憶部５６，５６０に記憶された識別情報のうち、集積部６０，２１０に集積されていた紙葉類の枚数と同数の識別情報を書き換えて修正してもよい。そして、このように記憶部５６，５６０に記憶された識別情報のうち集積部６０，２１０に集積されていた紙葉類の枚数と同数の識別情報を書き換えて修正する際には、制御部５０は、既に確定処理がなされた取引に含まれる紙葉類の識別情報も書き換えて修正してもよい。
【００５６】
［比較例］
ここで、図１１に示す態様を用いて比較例に関する説明を行う。まず、３枚の紙葉類が受入部１１に載置され、当該３枚の紙葉類が一枚ずつ筐体１内に取込部１０によって取り込まれる。このように取込部１０によって取り込まれた紙葉類は一枚ずつ搬送部７０で搬送され、識別部５５で識別計数された後で、同じスタッカ６０ａ−６０ｄへと搬送される（図１１（ａ）参照）。
【００５７】
識別部５５では、当該３枚の紙葉類の識別情報が取得され、図１１（ａ）に示す態様では「Ａ０１２３」、「Ｂ１２３４」及び「Ｃ２３４５」という識別情報が識別部５５で取得されることとなる。そして、このように識別情報が識別部５５で取得されると、当該識別情報は記憶部５６，５６０に出力され、当該記憶部５６，５６０で記憶されることとなる。なお、３枚の紙葉類を集積したスタッカ６０ａ−６０ｄに対応する個別表示部６２ａ−６２ｄではスタッカ６０ａ−６０ｄに集積された紙葉類の枚数（３枚）を意味する「３」が表示される。
【００５８】
上述のように識別部５５で紙葉類が識別された後で、操作表示部５９から取引を確定する旨の入力が行われて、「Ａ０１２３」、「Ｂ１２３４」及び「Ｃ２３４５」という識別情報を有する紙葉類の取引（前回取引）が確定される（図１１（ａ）参照）。
【００５９】
次に、新たな取引（今回取引）の最初の１枚の紙葉類が受入部１１に載置され、当該紙葉類が筐体１内に取込部１０によって取り込まれる。このように取込部１０によって取り込まれた紙葉類は搬送部７０で搬送され、識別部５５で識別計数された後で、上述した３枚の紙葉類と同じスタッカ６０ａ−６０ｄへと搬送される。このスタッカ６０ａ−６０ｄに対応する個別表示部６２ａ−６２ｄではスタッカ６０ａ−６０ｄに集積された紙葉類の枚数（４枚）を意味する「４」が表示される（図１１（ｂ）参照）。
【００６０】
識別部５５では、当該１枚の紙葉類の識別情報が取得され、図１１（ｂ）に示す態様では「Ｄ３４５６」という識別情報が識別部５５で取得されることとなる。そして、このように識別情報が識別部５５で取得されると、当該識別情報は記憶部５６，５６０に出力され、当該記憶部５６，５６０で記憶されることとなる。
【００６１】
ところで、搬送異常等の何らしかの理由によってエラーが発生することがある。図１１（ｃ）では「Ｄ３４５６」という識別情報を有する紙葉類に関する取引（今回取引）に関してエラーが発生した態様を示している。このようにエラーが発生すると、当該取引に関する紙葉類を集積したスタッカ６０ａ−６０ｄ内の全ての紙葉類が取り除かれ再識別処理が実行される。この際、当該スタッカ６０ａ−６０ｄに対応する個別表示部６２ａ−６２ｄでは取り除かれた紙葉類のうち既に確定処理が行われていた前回取引の紙葉類の枚数（３枚）を意味する「−３」が表示される（図１１（ｄ）参照）。
【００６２】
このようにスタッカ６０ａ−６０ｄ内の紙葉類が取り除かれて再識別処理が実行されるが、記憶部５６，５６０に記憶された識別情報は変更されない。
【００６３】
スタッカ６０ａ−６０ｄ内から取り除かれた紙葉類（図１１（ｅ）に示す態様では４枚の紙葉類）は再び受入部１１に載置され、当該４枚の紙葉類が一枚ずつ筐体１内に取込部１０によって取り込まれる。この際、紙葉類は最も下方に位置する紙葉類から順番に取り込まれる。このように取込部１０によって取り込まれた紙葉類は一枚ずつ搬送部７０で搬送され、識別部５５で識別計数された後で同じスタッカ６０ａ−６０ｄへと搬送される。この際、紙葉類がスタッカ６０ａ−６０ｄへと搬送される度に個別表示部６２ａ−６２ｄでは「−３」→「−２」→「−１」というように、確定処理が行われている紙葉類の枚数との差分が表示され、３枚目の紙葉類がスタッカ６０ａ−６０ｄへ搬送される際には当該個別表示部６２ａ−６２ｄの表示が「０」とはならず、当該スタッカ６０ａ−６０ｄで集積されている紙葉類の枚数（３枚）を意味する「３」が個別表示部６２ａ−６２ｄに表示される。そして、最後の１枚の紙葉類がスタッカ６０ａ−６０ｄへ搬送されると当該スタッカ６０ａ−６０ｄで集積されている紙葉類の枚数（４枚）を意味する「４」が個別表示部６２ａ−６２ｄに表示される。なお、紙葉類がスタッカ６０ａ−６０ｄへと搬送される度に個別表示部６２ａ−６２ｄでは「−３」→「−２」→「−１」というように、確定処理が行われている紙葉類の枚数との差分が表示され、３枚目の紙葉類がスタッカ６０ａ−６０ｄへ搬送される際に当該個別表示部６２ａ−６２ｄの表示が「０」となり、所定時間経過後に当該スタッカ６０ａ−６０ｄで集積されている紙葉類の枚数（３枚）を意味する「３」が個別表示部６２ａ−６２ｄに表示されてもよい。そして、スタッカ６０ａ−６０ｄ内から取り除かれた紙葉類の枚数と同数の紙葉類（図１１（ｅ）に示す態様では４枚の紙葉類）に関しては識別情報が識別部５５で取得されないか、仮に識別情報が識別部５５で取得されても記憶部５６，５６０に出力する情報としては扱われない。
【００６４】
ところで、再識別処理を実行するときに、スタッカ６０ａ−６０ｄ内から取り除かれた紙葉類は、任意の順番で受入部１１に載置される。例えば、下から「Ａ０１２３」、「Ｂ１２３４」、「Ｄ３４５６」、「Ｃ２３４５」の順番で紙葉類が受入部１１に載置されると、紙葉類はその順番で取り込まれる。最初の３枚である「Ａ０１２３」、「Ｂ１２３４」、「Ｄ３４５６」の紙葉類が前回取引分の紙葉類としてスタッカ６０ａ−６０ｄへ搬送される。４枚目の「Ｃ２３４５」の紙葉類が今回取引分の紙幣としてスタッカ６０ａ−６０ｄへ搬送される。
【００６５】
上述のように「Ｃ２３４５」の紙葉類は、記憶部５６，５６０に記憶されている紙葉類の識別情報では、前回取引の紙葉類として記憶されたままであるが、再識別処理では今回取引の紙葉類として処理される。また、「Ｄ３４５６」の紙葉類は、記憶部５６，５６０に記憶されている紙葉類の識別情報では、今回取引の紙葉類として記憶されたままであるが、再識別処理では前回取引の紙葉類として処理される。
【００６６】
このように比較例によれば、記憶部５６，５６０に記憶されている紙葉類の識別情報と、実際にスタッカ６０ａ−６０ｄに集積されて後工程にまわされる紙葉類の識別情報とが必ずしも合致しないこととなる。
【００６７】
［実施例１］
次に、図８を用いて実施例１について説明する。実施例１では、３枚の紙葉類が受入部１１に載置され、当該３枚の紙葉類が一枚ずつ筐体１内に取込部１０によって取り込まれる。このように取込部１０によって取り込まれた紙葉類は一枚ずつ搬送部７０で搬送され、識別部５５で識別計数された後で、同じスタッカ６０ａ−６０ｄへと搬送される。
【００６８】
識別部５５では、当該３枚の紙葉類の識別情報が取得され、図８（ａ）に示す態様では「Ａ０１２３」、「Ｂ１２３４」及び「Ｃ２３４５」という識別情報が識別部５５で取得されることとなる。そして、このように識別情報が識別部５５で取得されると、当該識別情報は記憶部５６，５６０に出力され、当該記憶部５６，５６０で記憶されることとなる。なお、３枚の紙葉類を集積したスタッカ６０ａ−６０ｄに対応する個別表示部６２ａ−６２ｄではスタッカ６０ａ−６０ｄに集積された紙葉類の枚数（３枚）を意味する「３」が表示される。
【００６９】
上述のように識別部５５で紙葉類が識別された後で、操作表示部５９から取引を確定する旨の入力が行われて、「Ａ０１２３」、「Ｂ１２３４」及び「Ｃ２３４５」という識別情報を有する紙葉類の取引（前回取引）が確定される。これらの識別情報は、取引が確定されたことを示すフラグとともに記憶される。
【００７０】
次に、新たな取引（今回取引）の最初の１枚の紙葉類が受入部１１に載置され、当該紙葉類が筐体１内に取込部１０によって取り込まれる。このとき、前回取引の紙葉類をスタッカ６０ａ−６０ｄに残したまま今回取引の処理を行うが、このような処理を残置処理又は連続入金処理という。このように取込部１０によって取り込まれた紙葉類は搬送部７０で搬送され、識別部５５で識別計数された後で、上述した３枚の紙葉類と同じスタッカ６０ａ−６０ｄへと搬送される。このスタッカ６０ａ−６０ｄに対応する個別表示部６２ａ−６２ｄではスタッカ６０ａ−６０ｄに集積された紙葉類の枚数（４枚）を意味する「４」が表示される。
【００７１】
識別部５５では、当該１枚の紙葉類の識別情報が取得され、図８（ｂ）に示す態様では「Ｄ３４５６」という識別情報が識別部５５で取得されることとなる。そして、このように識別情報が識別部５５で取得されると、当該識別情報は記憶部５６，５６０に出力され、当該記憶部５６，５６０で記憶されることとなる。
【００７２】
ところで、紙葉類に関する取引が（作業ミスやリジェクトされる紙葉類があまりにも多すぎる等の）何らしかの理由によってキャンセルされることがある。図８（ｃ）では「Ｄ３４５６」という識別情報を有する紙葉類に関する取引がキャンセルされた態様を示している。このように取引がキャンセルされると、当該取引に関する紙葉類を集積したスタッカ６０ａ−６０ｄ内の全ての紙葉類（前回取引の確定済みの紙葉類を含む）が取り除かれ再識別処理が実行される。この際、当該スタッカ６０ａ−６０ｄに対応する個別表示部６２ａ−６２ｄでは取り除かれた紙葉類のうち既に確定処理が行われていた前回取引の紙葉類の枚数（３枚）を意味する「−３」が表示される（図８（ｄ）参照）。
【００７３】
このようにスタッカ６０ａ−６０ｄ内の紙葉類が取り除かれると、記憶部５６，５６０に記憶された識別情報のうち再識別処理の対象となっている紙葉類の識別情報が消去される。本実施例では、スタッカ６０ａ−６０ｄ内の紙葉類に関して記憶部５６，５６０に記憶されていた識別情報が確定処理をされているものも含めて消去される。
【００７４】
スタッカ６０ａ−６０ｄ内から取り除かれた紙葉類（図８（ｄ）に示す態様では４枚の紙葉類）は再び受入部１１に載置され、当該４枚の紙葉類が一枚ずつ筐体１内に取込部１０によって取り込まれる。このように取込部１０によって取り込まれた紙葉類は一枚ずつ搬送部７０で搬送され、識別部５５で識別計数された後で、既に確定処理が行われた紙葉類と同じ枚数（図８（ｄ）に示す態様では３枚）の紙葉類が同じスタッカ６０ａ−６０ｄへと搬送され、未だ確定処理が行われていない紙葉類と同じ枚数（図８（ｄ）に示す態様では１枚）の紙葉類がリジェクト部６５ａ，６５ｂへと搬送される。一例としては、最初の３枚の紙葉類が同じスタッカ６０ａ−６０ｄへと搬送され、最後の１枚の紙葉類がリジェクト部６５ａ，６５ｂへと搬送される。この際、紙葉類がスタッカ６０ａ−６０ｄへと搬送される度に個別表示部６２ａ−６２ｄでは「−３」→「−２」→「−１」というように、確定処理が行われている紙葉類の枚数との差分が表示され、３枚目がスタッカ６０ａ−６０ｄへ搬送される際には「０」とはならず、当該スタッカ６０ａ−６０ｄで集積されている紙葉類の枚数（３枚）を意味する「３」が個別表示部６２ａ−６２ｄに表示される。なお、上述した比較例と同様、紙葉類がスタッカ６０ａ−６０ｄへと搬送される度に個別表示部６２ａ−６２ｄでは「−３」→「−２」→「−１」というように、確定処理が行われている紙葉類の枚数との差分が表示され、３枚目の紙葉類がスタッカ６０ａ−６０ｄへ搬送される際に当該個別表示部６２ａ−６２ｄの表示が「０」となり、所定時間経過後に当該スタッカ６０ａ−６０ｄで集積されている紙葉類の枚数（３枚）を意味する「３」が個別表示部６２ａ−６２ｄに表示されてもよい。このことは以下の実施例にも当てはまる。
【００７５】
ところで、再識別処理を実行するときに、スタッカ６０ａ−６０ｄ内から取り除かれた紙葉類は、任意の順番で受入部１１に載置される。例えば、図８（ｅ）に示す態様では、下から「Ｄ３４５６」、「Ｂ１２３４」、「Ａ０１２３」、「Ｃ２３４５」の順番で、紙葉類が受入部１１に載置される。紙葉類はその順番で取り込まれ、最初の３枚である「Ｄ３４５６」、「Ｂ１２３４」、「Ａ０１２３」の紙葉類は、前回取引分の紙葉類としてスタッカ６０ａ−６０ｄへ搬送される。４枚目の「Ｃ２３４５」の紙葉類は、キャンセルされた今回取引分の紙葉類としてリジェクト部６５ａ，６５ｂへ搬送される。識別部５５では、最初の３枚の紙葉類の識別情報が取得され、図８（ｅ）に示す態様では「Ｄ３４５６」、「Ｂ１２３４」及び「Ａ０１２３」という識別情報が識別部５５で取得されることとなる。そして、このように識別情報が識別部５５で取得されると、当該識別情報は記憶部５６，５６０に出力され、当該記憶部５６，５６０で記憶されることとなる。なお、図８（ｅ）では、リジェクト部６５ａ，６５ｂへと搬送された紙葉類の識別情報は、４枚目に取り込まれた紙葉類の「Ｃ２３４５」となっている。
【００７６】
上述のように識別部５５で紙葉類が識別された後で、操作表示部５９から取引を確定する旨の入力が行われて、「Ｄ３４５６」、「Ｂ１２３４」及び「Ａ０１２３」という識別情報を有する紙葉類の取引が確定される。
【００７７】
このように実施例１によれば、記憶部５６，５６０に記憶されている紙葉類の識別情報と、実際にスタッカ６０ａ−６０ｄに集積されて後工程にまわされる紙葉類の識別情報とを合致させることができる。さらに、記憶部５６，５６０に記憶されている紙葉類の識別情報の順番と、実際にスタッカ６０ａ−６０ｄに集積される紙葉類の順番とを合致させることもできる。
【００７８】
［実施例２］
次に、図９を用いて実施例２を説明する。実施例２は、スタッカ６０ａ−６０ｄに集積された紙葉類の枚数が、予め設定した枚数になったとき集積を停止し、スタッカ６０ａ−６０ｄから紙葉類が抜き取られたとき集積を再開する処理で、バッチ取りと呼ばれる処理を行う場合の例である。バッチ取りを行うことで、紙葉類を所定枚数ずつ区分けすることができる。図９に示す実施例２では、設定枚数を５枚としている。まず、３枚の紙葉類が受入部１１に載置され、当該３枚の紙葉類が一枚ずつ筐体１内に取込部１０によって取り込まれる。このように取込部１０によって取り込まれた紙葉類は一枚ずつ搬送部７０で搬送され、識別部５５で識別計数された後で、同じスタッカ６０ａ−６０ｄへと搬送される。
【００７９】
識別部５５では、当該３枚の紙葉類の識別情報が取得され、図９（ａ）に示す態様では「Ａ０１２３」、「Ｂ１２３４」及び「Ｃ２３４５」という識別情報が識別部５５で取得されることとなる。そして、このように識別情報が識別部５５で取得されると、当該識別情報は記憶部５６，５６０に出力され、当該記憶部５６，５６０で記憶されることとなる。なお、３枚の紙葉類を集積したスタッカ６０ａ−６０ｄに対応する個別表示部６２ａ−６２ｄではスタッカ６０ａ−６０ｄに集積された紙葉類の枚数（３枚）を意味する「３」が表示される。
【００８０】
上述のように識別部５５で紙葉類が識別された後で、操作表示部５９から取引を確定する旨の入力が行われて、「Ａ０１２３」、「Ｂ１２３４」及び「Ｃ２３４５」という識別情報を有する紙葉類の取引（前回取引）が確定される。これらの識別情報は、取引が確定されたことを示すフラグとともに記憶される。
【００８１】
次に、新たな取引（今回取引）として、別の３枚の紙葉類が受入部１１に載置され、当該３枚の紙葉類が一枚ずつ筐体１内に取込部１０によって取り込まれる。このとき、前回取引の紙葉類をスタッカ６０ａ−６０ｄに残したまま今回取引の紙葉類を処理する残置処理が行われる。このように取込部１０によって取り込まれた紙葉類は一枚ずつ搬送部７０で搬送され、識別部５５で識別計数された後で、上述した３枚の紙葉類と同じスタッカ６０ａ−６０ｄへと搬送される。図９には記載していないが、今回取引の最初の２枚の紙葉類がスタッカ６０ａ−６０ｄに搬送された時点で処理は一旦停止する。これは、バッチ取り処理の設定枚数が５枚に設定されているためである。このとき、スタッカ６０ａ−６０ｄに対応する個別表示部６２ａ−６２ｄではスタッカ６０ａ−６０ｄに集積された紙葉類の枚数（５枚）を意味する「５」が表示される。また、識別部５５では、当該２枚の紙葉類の識別情報が取得され、「Ｄ３４５６」及び「Ｅ４５６７」という識別情報が識別部５５で取得されることとなる。そして、このように識別情報が識別部５５で取得されると、当該識別情報は記憶部５６，５６０に出力され、当該記憶部５６，５６０で記憶されることとなる。
【００８２】
次に、スタッカ６０ａ−６０ｄから５枚の紙葉類が抜き取られ、５枚の紙葉類は抜き取り済み紙葉類「ウ」として隣接する載置場所に移される。このとき、記憶部５６，５６０に記憶された「Ａ０１２３」、「Ｂ１２３４」、「Ｃ２３４５」、「Ｄ３４５６」及び「Ｅ４５６７」の識別情報は、「抜き取り済み」として記憶される。スタッカ６０ａ−６０ｄから５枚の紙葉類が抜き取られたことにより処理が再開され、今回取引の３枚目の紙葉類が受入部１１から筐体１内に取込部１０によって取り込まれ、スタッカ６０ａ−６０ｄへと搬送される。この際、「Ｆ５６７８」という識別情報が識別部５５で取得され、当該識別情報は記憶部５６，５６０に出力され、当該記憶部５６，５６０で記憶される。この際、このスタッカ６０ａ−６０ｄに対応する個別表示部６２ａ−６２ｄではスタッカ６０ａ−６０ｄに集積された紙葉類の枚数（１枚）を意味する「１」が表示される。ちなみに、確定済みの紙葉類しか含まない一組の紙葉類に関しては仕切りによって切り分けられるようになっており、図９（ｂ）の「ア」及び「イ」の各々は確定済みの紙葉類しか含まない一組の紙葉類を示している。なお、このような仕切りが用いられる必要は必ずしもなく、確定済みの紙葉類しか含まない紙葉類の組を載置する場所と、確定済みの紙葉類以外の紙葉類も含む組を載置する場所とを分けるようにしてもよい。また、仮に紙葉類が結束されて紙葉類束となっている場合には、帯封に印字したＩＤ等の束識別情報を利用することもできる。例えば、キャンセル対象となった紙葉類を含み、再識別処理が必要な紙葉類束のＩＤ等の束識別情報を操作表示部５９が表示するようになってもよい。この場合には、操作者は操作表示部５９で表示された束識別情報に基づいて、戻し処理を行う必要がある紙葉類束を特定することができる。
【００８３】
図９（ｃ）に示す態様では、「Ｄ３４５６」、「Ｅ４５６７」及び「Ｆ５６７８」という識別情報を有する紙葉類の取引がキャンセルされた態様を示している。このように取引がキャンセルされると、スタッカ６０ａ−６０ｄ内の紙葉類が取り除かれることとなる。また、未確定の紙葉類を含む一組の紙葉類（５枚の紙葉類）「ウ」も載置場所から取り除かれる。この際、上記のスタッカ６０ａ−６０ｄに対応する個別表示部６２ａ−６２ｄではスタッカ６０ａ−６０ｄ及び載置場所から取り除かれた紙葉類のうち既に確定処理が行われていた紙葉類の枚数（３枚）を意味する「−３」が表示される（図９（ｄ）参照）。
【００８４】
このようにスタッカ６０ａ−６０ｄ内や載置場所から紙葉類が取り除かれると、記憶部５６，５６０に記憶された識別情報のうち再識別処理の対象となっている紙葉類の識別情報が消去される。本実施例では、スタッカ６０ａ−６０ｄ内の紙葉類及び載置場所から取り除かれた紙葉類に関して記憶部５６，５６０に記憶されていた識別情報が消去される。
【００８５】
スタッカ６０ａ−６０ｄ内から取り除かれた紙葉類（図９（ｄ）に示す態様では１枚の紙葉類）と載置場所から取り除かれた紙葉類（図９（ｄ）に示す態様では５枚の紙葉類）は再び受入部１１に載置され、当該６枚の紙葉類が一枚ずつ筐体１内に取込部１０によって取り込まれる。このように取込部１０によって取り込まれた紙葉類は一枚ずつ搬送部７０で搬送され、識別部５５で識別計数された後で、既に確定処理が行われた紙葉類と同じ枚数（図９（ｄ）に示す態様では３枚）の紙葉類が同じスタッカ６０ａ−６０ｄへと搬送され、未だ確定処理が行われていない紙葉類と同じ枚数（図９（ｄ）に示す態様では３枚）の紙葉類がリジェクト部６５ａ，６５ｂへと搬送される。一例としては、最初の３枚の紙葉類が同じスタッカ６０ａ−６０ｄへと搬送され、最後の３枚の紙葉類がリジェクト部６５ａ，６５ｂへと搬送される。この場合も、再識別処理の対象となる紙葉類は、任意の順番で受入部１１に載置される。例えば、下から「Ｄ３４５６」、「Ｂ１２３４」、「Ａ０１２３」、「Ｃ２３４５」、「Ｅ４５６７」、「Ｆ５６７８」の順番で、紙葉類が受入部１１に載置される。紙葉類はその順番で取り込まれ、最初の３枚である「Ｄ３４５６」、「Ｂ１２３４」、「Ａ０１２３」の紙葉類は、前回取引分の紙葉類としてスタッカ６０ａ−６０ｄへ搬送される（図９（ｅ）参照）。４枚目以降の「Ｃ２３４５」、「Ｅ４５６７」及び「Ｆ５６７８」の３枚の紙葉類は、キャンセルされた今回取引分の紙葉類としてリジェクト部６５ａ，６５ｂへ搬送される。この際、紙葉類がスタッカ６０ａ−６０ｄへと搬送される度に個別表示部６２ａ−６２ｄでは「−３」→「−２」→「−１」というように、確定処理が行われている紙葉類の枚数との差分が表示され、３枚目がスタッカ６０ａ−６０ｄへ搬送される際には「０」とはならず、当該スタッカ６０ａ−６０ｄで集積されている紙葉類の枚数（３枚）を意味する「３」が個別表示部６２ａ−６２ｄに表示される。
【００８６】
上述したように、「Ｄ３４５６」、「Ｂ１２３４」、「Ａ０１２３」の紙葉類がスタッカ６０ａ−６０ｄへ搬送される際に、識別部５５で３枚の紙葉類の識別情報が取得され、図９（ｅ）に示す態様では「Ｄ３４５６」、「Ｂ１２３４」及び「Ａ０１２３」という識別情報が識別部５５で取得されることとなる。そして、このように識別情報が識別部５５で取得されると、当該識別情報は記憶部５６，５６０に出力され、当該記憶部５６，５６０で記憶されることとなる。
【００８７】
上述のように識別部５５で紙葉類が識別された後で、操作表示部５９から取引を確定する旨の入力が行われて、「Ｄ３４５６」、「Ｂ１２３４」及び「Ａ０１２３」という識別情報を有する紙葉類の取引が確定される。
【００８８】
このように実施例２でも、記憶部５６，５６０に記憶されている紙葉類の識別情報と、実際にスタッカ６０ａ−６０ｄに集積されて後工程にまわされる紙葉類の識別情報とを合致させることができる。さらに、記憶部５６，５６０に記憶されている紙葉類の識別情報の順番と、実際にスタッカ６０ａ−６０ｄに集積される紙葉類の順番とを合致させることもできる。
【００８９】
［実施例３］
次に、図１０を用いて実施例３を説明する。図１０に示す実施例３では、３枚の紙葉類が受入部１１に載置され、当該３枚の紙葉類が一枚ずつ筐体１内に取込部１０によって取り込まれる。このように取込部１０によって取り込まれた紙葉類は一枚ずつ搬送部７０で搬送され、識別部５５で識別計数された後で、同じスタッカ６０ａ−６０ｄへと搬送される。
【００９０】
識別部５５では、当該３枚の紙葉類の識別情報が取得され、図１０（ａ）に示す態様では「Ａ０１２３」、「Ｂ１２３４」及び「Ｃ２３４５」という識別情報が識別部５５で取得されることとなる。そして、このように識別情報が識別部５５で取得されると、当該識別情報は記憶部５６，５６０に出力され、当該記憶部５６，５６０で記憶されることとなる。なお、３枚の紙葉類を集積したスタッカ６０ａ−６０ｄに対応する個別表示部６２ａ−６２ｄではスタッカ６０ａ−６０ｄに集積された紙葉類の枚数（３枚）を意味する「３」が表示される。
【００９１】
上述のように識別部５５で紙葉類が識別された後で、操作表示部５９から取引を確定する旨の入力が行われて、「Ａ０１２３」、「Ｂ１２３４」及び「Ｃ２３４５」という識別情報を有する紙葉類の取引（今回取引）が確定される。これらの識別情報は、取引が確定されたことを示すフラグとともに記憶される。
【００９２】
次に、新たな取引（今回取引）として、１枚の紙葉類が受入部１１に載置され、当該紙葉類が筐体１内に取込部１０によって取り込まれる。このとき、前回取引の紙葉類をスタッカ６０ａ−６０ｄに残したまま今回取引の紙葉類を処理する残置処理が行われる。このように取込部１０によって取り込まれた紙葉類は搬送部７０で搬送され、識別部５５で識別計数された後で、上述した３枚の紙葉類と同じスタッカ６０ａ−６０ｄへと搬送される。このスタッカ６０ａ−６０ｄに対応する個別表示部６２ａ−６２ｄではスタッカ６０ａ−６０ｄに集積された紙葉類の枚数（４枚）を意味する「４」が表示される。
【００９３】
識別部５５では、当該１枚の紙葉類の識別情報が取得され、図１０（ｂ）に示す態様では「Ｄ３４５６」という識別情報が識別部５５で取得されることとなる。そして、このように識別情報が識別部５５で取得されると、当該識別情報は記憶部５６，５６０に出力され、当該記憶部５６，５６０で記憶されることとなる。
【００９４】
ところで、搬送異常等の何らしかの理由によってエラーが発生することがある。図１０（ｃ）では「Ｄ３４５６」という識別情報を有する紙葉類を含む取引の処理中（確定前）にエラーが発生した態様を示している。このようにエラーが発生すると、当該取引に関する紙葉類を集積したスタッカ６０ａ−６０ｄ内の全ての紙葉類（前回取引の確定済みの紙葉類を含む）が取り除かれて、再識別処理が実行される。この際、当該スタッカ６０ａ−６０ｄに対応する個別表示部６２ａ−６２ｄでは取り除かれた紙葉類のうち既に確定処理が行われていた紙葉類の枚数（３枚）を意味する「−３」が表示される（図１０（ｄ）参照）。
【００９５】
このようにスタッカ６０ａ−６０ｄ内の紙葉類が取り除かれると、記憶部５６，５６０に記憶された識別情報のうち再識別処理の対象となっている紙葉類の識別情報が消去される。本実施例では、スタッカ６０ａ−６０ｄ内の紙葉類に関して記憶部５６，５６０に記憶されていた識別情報が消去される。
【００９６】
スタッカ６０ａ−６０ｄ内から取り除かれた紙葉類（図１０（ｄ）に示す態様では４枚の紙葉類）は再び受入部１１に載置され、当該４枚の紙葉類が一枚ずつ筐体１内に取込部１０によって取り込まれる。このように取込部１０によって取り込まれた紙葉類は一枚ずつ搬送部７０で搬送され、識別部５５で識別計数された後で同じスタッカ６０ａ−６０ｄへと搬送される。この場合も、再識別処理の対象となる紙葉類は、任意の順番で受入部１１に載置される。図１０（ｄ）では、例えば、下から「Ｄ３４５６」、「Ｂ１２３４」、「Ａ０１２３」、「Ｃ２３４５」の順番で、紙葉類が受入部１１に載置される。紙葉類はその順番で取り込まれ、最初の３枚である「Ｄ３４５６」、「Ｂ１２３４」、「Ａ０１２３」の紙葉類は、確定済みの前回取引分の紙葉類としてスタッカ６０ａ−６０ｄへ搬送される。続けて、４枚目の「Ｃ２３４５」の紙葉類は、未確定の今回取引分の紙葉類としてリジェクト部６５ａ，６５ｂへ搬送される。この際、紙葉類がスタッカ６０ａ−６０ｄへと搬送される度に個別表示部６２ａ−６２ｄでは「−３」→「−２」→「−１」というように、確定処理が行われている紙葉類の枚数との差分が表示され、３枚目がスタッカ６０ａ−６０ｄへ搬送される際には「０」とはならず、当該スタッカ６０ａ−６０ｄで集積されている紙葉類の枚数（３枚）を意味する「３」が個別表示部６２ａ−６２ｄに表示される。そして、最後の１枚の紙葉類がスタッカ６０ａ−６０ｄへ搬送されると当該スタッカ６０ａ−６０ｄで集積されている紙葉類の枚数（４枚）を意味する「４」が個別表示部６２ａ−６２ｄに表示される。
【００９７】
識別部５５では、４枚の紙葉類の識別情報が取得され、図１０（ｅ）に示す態様では「Ｄ３４５６」、「Ｂ１２３４」、「Ａ０１２３」及び「Ｃ２３４５」という識別情報が識別部５５で取得されることとなる。そして、このように識別情報が識別部５５で取得されると、当該識別情報は記憶部５６，５６０に出力され、当該記憶部５６，５６０で記憶されることとなる。
【００９８】
ところで、再識別処理される紙葉類のうち、最初の３枚は確定済みの前回取引の紙葉類として処理されるので、最初の３枚の識別情報である「Ｄ３４５６」、「Ｂ１２３４」及び「Ａ０１２３」が記憶部５６，５６０に記憶された時点で、これらの識別情報は自動的に確定処理がなされ、取引が確定されたことを示すフラグとともに記憶される。他方、４枚目の紙葉類の識別情報である「Ｃ２３４５」は、未確定の識別情報として記憶部５６，５６０に記憶される。
【００９９】
このように実施例３でも、記憶部５６，５６０に記憶されている紙葉類の識別情報と、実際にスタッカ６０ａ−６０ｄに集積されて後工程にまわされる紙葉類の識別情報とを合致させることができる。さらに、記憶部５６，５６０に記憶されている紙葉類の識別情報の順番と、実際にスタッカ６０ａ−６０ｄに集積される紙葉類の順番とを合致させることもできる。
【０１００】
《効果》
次に、上述した構成からなる本実施の形態によって達成される効果であって、まだ述べていない効果又はとりわけ重要な効果について説明する。
【０１０１】
本実施の形態によれば、再識別処理において、識別部５５で紙葉類の識別情報が識別されると、当該識別情報に基づいて記憶部５６，５６０に記憶されていた識別情報を修正する。このため、記憶部５６，５６０に記憶されている紙葉類の識別情報と、実際に後工程にまわされる紙葉類の識別情報とを合致させることができる。
【０１０２】
また、本実施の形態において、取引をキャンセルするためのキャンセル指令が操作表示部５９から入力されたことを条件として再識別処理を実行するようにしてもよい。このような態様を採用することで、キャンセル指令が入力された際に記憶部５６，５６０に記憶された識別情報を修正することができるようになり、誤って記憶部５６，５６０に記憶された識別情報が書き換えられたりして修正されることを防止することができる。
【０１０３】
なお、キャンセル指令が入力された後であって一定時間以内に紙葉類が受入部１１に載置されることで、制御部５０が再識別処理であると認識して自動的に再識別処理を実行する態様を採用した場合には、操作者はキャンセル指令を入力して受入部１１に紙葉類を載置するだけで、記憶部５６，５６０に記憶されている紙葉類の識別情報と、実際に後工程にまわされる紙葉類の識別情報とを合致させることができるようになる。他方、キャンセル指令が入力された後であっても操作表示部５９から所定の入力を行って再識別処理を実行する場合には、操作者によって実際に再識別処理を行うかが判断されることから、誤って再識別処理が行われてしまい、誤って記憶部５６，５６０に記憶された識別情報が書き換えられたりして修正されることを防止することができる。
【０１０４】
また、本実施の形態において、搬送部７０での搬送エラーが解除されたことを条件として再識別処理を実行するようにしてもよい。このような態様を採用することで、搬送エラーを解除した際に記憶部５６，５６０に記憶された識別情報を修正することができるようになり、誤って記憶部５６，５６０に記憶された識別情報が書き換えられたりして修正されることを防止することができる。
【０１０５】
なお、搬送エラーを解除した後であって一定時間以内に紙葉類が受入部１１に載置されることで、制御部５０が再識別処理であると認識して自動的に再識別処理を実行する態様を採用した場合には、操作者は搬送エラーを解除して受入部１１に紙葉類を載置するだけで、記憶部５６，５６０に記憶されている紙葉類の識別情報と、実際に後工程にまわされる紙葉類の識別情報とを合致させることができるようになる。他方、搬送エラーを解除した後であっても操作表示部５９から所定の入力を行って再識別処理を実行する場合には、操作者によって実際に再識別処理を行うかが判断されることから、誤って再識別処理が行われてしまい、誤って記憶部５６，５６０に記憶された識別情報が書き換えられたりして修正されることを防止することができる。
【０１０６】
また、再識別処理において、識別された紙葉類の識別情報に基づいて、記憶部５６，５６０に記憶された識別情報を書き換えて修正する態様を採用した場合には、記憶部５６，５６０に記憶された識別情報を再識別処理で実際に取得された識別情報に書き換えることができ、余分な情報を記憶部５６，５６０で記憶することなく、記憶部５６，５６０に記憶されている紙葉類の識別情報と、実際に後工程にまわされる紙葉類の識別情報とを合致させることができる。
【０１０７】
この際、記憶部５６，５６０に記憶された識別情報のうち再識別処理の対象となっている紙葉類の識別情報を予め確定し、このように確定された再識別処理の対象となっている紙葉類の識別情報を書き換えて修正してもよい。このような態様を採用することで、修正が必要な識別情報を確実に書き換えることができる。
【０１０８】
また、再識別処理で計数された紙葉類の枚数や再識別処理において集積部６０，２１０に搬送された紙葉類の枚数から再識別処理の対象となっている紙葉類の範囲を確定してもよい。そして、このようにして確定された紙葉類の範囲の識別情報を、識別された紙葉類の識別情報に基づいて書き換えて修正してもよい。このような態様を採用することで、再識別処理の対象となっている紙葉類の識別情報を予め確定することなく、再識別処理で認識された実際の紙葉類の枚数に基づいて、記憶部５６，５６０に記憶されている紙葉類の識別情報を書き換えることができる。
【０１０９】
また、再識別処理の対象とする紙葉類には、既に確定処理がなされた取引に含まれる紙葉類が含まれてもよく、このような態様によれば、確定処理がなされているか否かに関わらず記憶部５６，５６０に記憶された識別情報を書き換えることができる。このため、半ば強制的に、記憶部５６，５６０に記憶されている紙葉類の識別情報と、実際に後工程にまわされる紙葉類の識別情報とを合致させることができるようになる。
【０１１０】
また、集積部６０，２１０に集積されていた紙葉類を取り出して識別部５５で再度識別させる場合に、記憶部５６，５６０に記憶された識別情報のうち、集積部６０，２１０に集積されていた紙葉類の枚数と同数の識別情報を書き換えて修正してもよい。このような態様を採用することで、集積部６０，２１０に集積されていた紙葉類を再識別処理する運用を行っている場合には、集積部６０，２１０に集積された紙葉類の実際の枚数を用いて記憶部５６，５６０に記憶された識別情報を書き換えることができる。
【０１１１】
また、このように記憶部５６，５６０に記憶された識別情報のうち集積部６０，２１０に集積されていた紙葉類の枚数と同数の識別情報を書き換えて修正する際には、制御部５０は、既に確定処理がなされた取引に含まれる紙葉類の識別情報も書き換えて修正してもよい。このような態様を採用することで、半ば強制的に、記憶部５６，５６０に記憶されている紙葉類の識別情報と、実際に後工程にまわされる紙葉類の識別情報とを合致させることができる。
【０１１２】
なお近年、紙葉類の識別情報（紙葉類が紙幣の場合には例えば紙幣の記番号）をデータベース化することが考えられている。このように紙葉類の識別情報をデータベース化する際に、本実施の形態のように記憶部５６，５６０に既に記憶されている識別情報を書き換えて、記憶部５６，５６０に記憶されている紙葉類の識別情報と、実際に後工程にまわされる紙葉類の識別情報とを合致させることで、紙葉類の識別情報が二重に登録されてしまったり、登録されずに漏れてしまったりすることを防止することができる。また、本実施の形態によれば、所定枚数の紙葉類（例えば１００枚の紙葉類）からなる紙葉類束（小束）の識別情報（例えば結束帯に印字された情報）を当該紙葉類束に含まれる各紙葉類の識別情報に紐付けることができる。さらには、所定束数の紙葉類束（例えば１０束の紙葉類束）からなる大束の識別情報と紙葉類束の識別情報とを紐付けることで、ひいては、大束の識別情報と当該大束に含まれる各紙葉類の識別情報とを紐付けることもできる。そして、これら紙葉類束（小束）や大束に含まれる紙葉類をトレースすることもできる。さらには、記憶部５６，５６０に記憶されている紙葉類の識別情報の順番と、紙葉類束に集積される紙葉類の順番とを合致させることもできるので、特定の識別情報を有する紙葉類が、どの紙葉類束の何番目に集積されているかを知ることができ、特定の紙葉類を容易に探し出すことができる。
【０１１３】
第２の実施の形態
次に、主に図１２乃至図１４を用いて、本発明の第２の実施の形態について説明する。
【０１１４】
第２の実施の形態では、取引データの修正に基づいて、スタッカ６０ａ−６０ｄ内に集積される紙葉類の枚数を修正する態様となっている。ある取引データにおいて紙葉類の枚数を加算する処理を行った場合又は行おうとする場合には、紙葉類処理装置１００で計数済みの紙葉類の中に、手作業で紙葉類を追加すると違算の原因になる。このため、当該紙葉類を実際に紙葉類処理装置１００で計数して、当該紙葉類を追加することが好ましい。このとき、追加する紙葉類は識別部５５で識別されて、スタッカ６０ａ−６０ｄ内に集積されることとなる。他方、ある取引データにおいて紙葉類の枚数を減算する処理を行った場合又は行おうとする場合には、紙葉類処理装置１００で計数済みの紙葉類から、手作業で紙葉類を抜き取ると違算の原因になるので、計数済みの紙葉類を再識別処理することが好ましい。具体的には、スタッカ６０ａ−６０ｄ内に集積されている紙葉類（この合計は減算する紙葉類の枚数以上となっている。）又はスタッカ６０ａ−６０ｄ内に集積されている紙葉類と載置場所に載置されている紙葉類（これらの合計は減算する紙葉類の枚数以上となっている。）が受入部１１に載置され、除去される紙葉類がリジェクト部６５ａ，６５ｂへと搬送され、それ以外の紙葉類がスタッカ６０ａ−６０ｄ内に集積されることとなる。なお、減算する紙葉類の枚数がスタッカ６０ａ−６０ｄ内に集積されている紙葉類の枚数以下のときには、スタッカ６０ａ−６０ｄ内に集積されている紙葉類が受入部１１に載置されることとなるが、減算する紙葉類の枚数がスタッカ６０ａ−６０ｄ内に集積されている紙葉類の枚数よりも大きいときには、スタッカ６０ａ−６０ｄ内に集積されている紙葉類と載置場所に載置されている紙葉類が受入部１１に載置されることとなる。ここで、載置場所に載置されている紙葉類とは、前述のバッチ取り処理により、スタッカ６０ａ−６０ｄから抜き取られた紙葉類である。また、第２の実施の形態では、ある取引データにおける紙葉類の枚数の加算又は減算処理に伴い、実際の紙葉類を追加又は除去するために、紙葉類処理装置１００で紙葉類を計数する処理が再識別処理に相当する。
【０１１５】
バッチ取り処理の設定枚数を仮に１００枚としている場合には、バッチ取り処理による抜き取り済みの１組の紙葉類は１００枚である。これを利用し、取引データ上で減算された紙葉類の枚数を１００で割った際の「余り」に相当する枚数の紙葉類を再識別処理で除去し、取引データ上で減算された紙葉類の枚数を１００で割った際の「商」に相当する枚数の紙葉類を、抜き取り済みの紙葉類を手作業で除去する旨、操作表示部５９で表示するようにしてもよい。仮に取引データ上で１００枚の紙葉類を減算した場合には、再識別処理により１００枚の紙葉類を除去する必要はなく、抜き取り済みの１組の紙葉類（１００枚の紙葉類）を手作業で除去する旨を操作表示部５９が表示してもよい。他方、仮に取引データ上で１０１枚の紙葉類を減算した場合には、例えばスタッカ６０ａ−６０ｄ内に残っている紙葉類を再識別処理し、１枚の紙葉類をリジェクト部６５ａ，６５ｂに搬送するようにしてやればよい。この場合には、抜き取り済みの１組の紙葉類（１００枚の紙葉類）及びリジェクト部６５ａ，６５ｂに搬送された紙葉類の分（１枚の紙葉類）が除去される旨を操作表示部５９が表示してもよい。
【０１１６】
また、本実施の形態では、再識別処理において、識別部５５で紙葉類の識別情報が識別されると、当該識別情報に基づいて記憶部５６，５６０に記憶されていた識別情報を修正する態様となってもよい。より具体的には、ある取引に紙葉類を追加したり、ある取引から紙葉類を取り除いたり、ある取引自体をキャンセルしたりする場合に、記憶部５６，５６０に記憶されている紙葉類の識別情報を修正する態様となってもよい。
【０１１７】
第２の実施の形態において、その他の構成は、第１の実施の形態と略同一の態様となっている。第２の実施の形態において、第１の実施の形態と同一部分には同一符号を付して詳細な説明は省略する。
【０１１８】
本実施の形態でも、第１の実施の形態と同様の効果を奏することができる。第１の実施の形態で詳細に説明したことから、本実施の形態における効果については適宜省略しながら説明する。
【０１１９】
〈紙葉類の追加〉
ある取引に関して紙葉類が追加される場合について説明する（図１２参照）。ある取引に関して紙葉類が追加される場合には、当該紙葉類の識別情報が新たな紙葉類の識別情報であるとして記憶部５６，５６０で記憶される。紙葉類の枚数が加算される取引を含め、全ての取引の紙葉類の枚数は記憶されている。取引毎の枚数を基に、新たに追加された識別情報を含む識別情報データを、各取引に関連付けるようデータを修正する。記憶部５６，５６０の識別情報は、識別された順番に記憶されているので、取引の順番に識別情報を取引に関連付けることで、スタッカ６０ａ−６０ｄ内に集積される紙葉類と抜き取り済みの紙葉類は、同じ取引に属する紙葉類が連続して集積されることとなる。
【０１２０】
［実施例４］
この点に関して、図１２に示すような具体的な例を用いて説明する。図１２（ａ）に示す態様では、前々回の取引には２枚の５ドル紙幣が含まれ、前回の取引には４枚の５ドル紙幣が含まれ、今回の取引には２枚の５ドル紙幣が含まれた態様となっている。なお、図１２に示す態様では、前々回の取引に含まれる２枚の５ドル紙幣と前回の取引に含まれる３枚の５ドル紙幣はスタッカ６０ａ−６０ｄから取り除かれており、スタッカ６０ａ−６０ｄ内には、前回の取引に含まれる１枚の５ドル紙幣と今回の取引に含まれる２枚の５ドル紙幣とが集積されている。
【０１２１】
図１２（ｂ）に示す態様では、前回の取引に１枚の５ドル紙幣を追加しなければならない態様となっている。この際には、当該５ドル紙幣が受入部１１に載置され、当該５ドル紙幣が筐体１内に取込部１０によって取り込まれる。このように取込部１０によって取り込まれた５ドル紙幣は搬送部７０で搬送され、識別部５５で識別計数された後で、５ドル紙幣を集積しているスタッカ６０ａ−６０ｄ（図１２（ｃ）では左側から２つめのスタッカ６０ａ−６０ｄ）へと搬送される。
【０１２２】
そして、本実施の形態では、この度識別された５ドル紙幣に関する識別情報を新たな５ドル紙幣の識別情報とするとともに、それぞれの識別情報と取引との関連付けを修正する。図１２（ｄ）に示す態様では、５ドル紙幣を追加した後の各取引の紙幣枚数は、今回取引が２枚、前回取引が５枚（４枚＋１枚）なので、再識別処理を行った後の識別情報データのうち、最後に識別された２件の識別情報を今回取引に関連付け、次の５件の識別情報を前回取引に関連付ける。この結果、スタッカ６０ａ−６０ｄに集積された下から２枚の５ドル紙幣の識別情報が前回の取引に含まれるよう記憶部５６，５６０で記憶され、スタッカ６０ａ−６０ｄに集積された上から２枚の５ドル紙幣の識別情報が今回の取引に含まれるよう記憶されることとなる。
【０１２３】
〈紙葉類の取り除き〉
次に、ある取引に関して紙葉類が取り除かれる場合について説明する（図１３参照）。ある取引に関して紙葉類が取り除かれる場合には、既に計数済みの紙葉類の少なくとも一部について再識別処理し、取り除かれる紙葉類と同数の紙葉類がリジェクト部６５ａ，６５ｂに搬送され、残りの紙葉類がスタッカ６０ａ−６０ｄに搬送される。再識別処理の対象とする計数済みの紙葉類は、スタッカ６０ａ−６０ｄに集積されている紙葉類を優先して使用することが好ましい。このようにすることで、再識別処理において、スタッカ６０ａ−６０ｄに集積される紙葉類の枚数がバッチ抜き取り枚数に達する頻度が少なくなるので、紙葉類を抜き取る手間を省くことができる。また、再識別処理の対象とする紙葉類の枚数は、取り除くべき紙葉類の枚数以上であることが必要である。制御部５０は、スタッカ６０ａ−６０ｄに集積される紙葉類の枚数と抜き取り済みの１組の紙葉類を把握しているので、どの紙葉類を再識別処理の対象とするかを決定し、操作表示部５９等に出力することができる。
【０１２４】
そして、再識別処理の対象となった紙葉類の識別情報が記憶部５６，５６０から削除され、再識別処理で識別された識別情報が新たに追加される。紙葉類の枚数が減算される取引を含め、全ての取引の紙葉類の枚数は記憶されている。取引毎の枚数を基に、新たに追加された識別情報を含む識別情報データを、各取引に関連付けるようデータを修正する。記憶部５６，５６０の識別情報は、識別された順番に記憶されているので、取引の順番に識別情報を取引に関連付けることで、スタッカ６０ａ−６０ｄ内に集積される紙葉類と抜き取り済みの紙葉類は、同じ取引に属する紙葉類が連続して集積されることとなる。
【０１２５】
なお、リジェクト部６５ａ，６５ｂへ搬送された紙葉類が、取引データ上で削除された紙葉類である旨が操作表示部５９で表示されてもよい。
【０１２６】
［実施例５］
この点に関して、図１３に示すような具体的な例を用いて説明する。図１３（ａ）に示す態様でも、前々回の取引には２枚の５ドル紙幣が含まれ、前回の取引には４枚の５ドル紙幣が含まれ、今回の取引には２枚の５ドル紙幣が含まれた態様となっている。なお、図１３（ａ）に示す態様でも、前々回の取引に含まれる２枚の５ドル紙幣と前回の取引に含まれる３枚の５ドル紙幣はスタッカ６０ａ−６０ｄから取り除かれており、スタッカ６０ａ−６０ｄ内には、前回の取引に含まれる１枚の５ドル紙幣と今回の取引に含まれる２枚の５ドル紙幣とが集積されている。
【０１２７】
図１３（ｂ）に示す態様では、前回の取引から２枚の５ドル紙幣を取り除かなければならない態様となっている。この際には、スタッカ６０ａ−６０ｄ内に集積されている３枚の５ドル紙幣が受入部１１に載置され、当該３枚の５ドル紙幣が１枚ずつ筐体１内に取込部１０によって取り込まれる。このように取込部１０によって取り込まれた５ドル紙幣は一枚ずつ搬送部７０で搬送され、識別部５５で識別計数された後で、２枚の５ドル紙幣（例えば最初の２枚の５ドル紙幣）はリジェクト部６５ａ，６５ｂへと搬送され、残りの１枚の５ドル紙幣（例えば最後の１枚の５ドル紙幣）は５ドル紙幣を集積しているスタッカ６０ａ−６０ｄへと搬送される。
【０１２８】
そして、本実施の形態では、リジェクト部６５ａ，６５ｂへと搬送された２枚の５ドル紙幣に関する識別情報が記憶部５６，５６０から削除され、スタッカ６０ａ−６０ｄへと搬送された５ドル紙幣の識別情報が新たな識別情報としてデータに追加修正される。今回取引の紙幣枚数は２枚、前回取引の紙幣枚数は２枚（４枚から２枚を減算）、前々回取引の紙幣枚数は２枚なので、修正された識別情報データのうち、最新の２件が今回取引の識別情報であり、次の２件が前回取引の識別情報であり、更に次の２件が前々回取引の識別情報であるとしてデータを修正する。
【０１２９】
なお、リジェクト部６５ａ，６５ｂへ搬送された紙葉類が、取引データ上でキャンセルされた取引の紙葉類である旨が操作表示部５９で表示されてもよい。
【０１３０】
〈取引のキャンセル〉
次に、ある取引がキャンセルされる場合について説明する（図１４参照）。ある取引がキャンセルされる場合には、既に計数済みの紙葉類の少なくとも一部について再識別処理し、キャンセルされる取引に含まれる紙葉類の枚数と同数の紙葉類がリジェクト部６５ａ，６５ｂに搬送され、残りの紙葉類がスタッカ６０ａ−６０ｄに搬送される。そして、再識別処理された紙葉類の識別情報が記憶部５６，５６０から削除され、スタッカ６０ａ−６０ｄに搬送された紙葉類の識別情報が新たな識別情報として記憶部５６，５６０に記憶される。そして、識別部５５で識別された紙葉類の識別情報を、順番に上記ある取引以外の各取引に含まれる紙葉類の識別情報として書き換えて記憶部５６，５６０で記憶させる。
【０１３１】
［実施例６］
この点に関して、図１４に示すような具体的な例を用いて説明する。図１４（ａ）に示す態様でも、前々回の取引には２枚の５ドル紙幣が含まれ、前回の取引には４枚の５ドル紙幣が含まれ、今回の取引には２枚の５ドル紙幣が含まれた態様となっている。なお、図１４（ａ）に示す態様でも、前々回の取引に含まれる２枚の５ドル紙幣と前回の取引に含まれる３枚の５ドル紙幣はスタッカ６０ａ−６０ｄから取り除かれており、スタッカ６０ａ−６０ｄ内には、前回の取引に含まれる１枚の５ドル紙幣と今回の取引に含まれる２枚の５ドル紙幣とが集積されている。
【０１３２】
図１４（ｂ）に示す態様では、前回の取引がキャンセルされる態様となっている。前回取引の枚数は４枚であり、スタッカ６０ａ−６０ｄ内に集積されている枚数３枚より多いので、既に計数済みの紙葉類の全て（図１４に示す態様では載置場所に載置された５枚の５ドル紙幣とスタッカ６０ａ−６０ｄ内に集積されている３枚の５ドル紙幣）を再識別処理の対象とする。取込部１０によって取り込まれた５ドル紙幣は一枚ずつ搬送部７０で搬送され、識別部５５で識別計数された後で、４枚の５ドル紙幣（例えば最初の４枚の５ドル紙幣）はリジェクト部６５ａ，６５ｂへと搬送され、残りの４枚の５ドル紙幣（例えば最後の４枚の５ドル紙幣）は５ドル紙幣を集積しているスタッカ６０ａ−６０ｄへと搬送される（図１４（ｃ）参照）。
【０１３３】
そして、本実施の形態では、再識別処理の対象となった５ドル紙幣に関する識別情報が記憶部５６，５６０から削除され、スタッカ６０ａ−６０ｄへと搬送された４枚の５ドル紙幣の識別情報が前々回の取引及び今回の取引に含まれる５ドル紙幣のものとして記憶部５６，５６０で記憶されることとなる。今回取引の紙幣枚数は２枚、前々回取引の紙幣枚数は２枚なので、修正された識別情報データのうち、最新の２件が今回取引の識別情報であり、次の２件が前々回取引の識別情報であるとしてデータを修正する（図１４（ｄ）参照）。
【０１３４】
ところで、上記では、第２の実施の形態が、第１の実施の形態と略同一の態様となっているとして説明したが、これに限られることはない。つまり、第２の実施の形態は第１の実施の形態から独立した態様となっていてもよい。このため、紙葉類処理装置１００及び／又は紙葉類処理システムは、取引データの修正に基づいて、スタッカ６０ａ−６０ｄ内に集積される紙葉類の枚数を修正する態様となっていればよく、その他の限定は特に必要ない。
【０１３５】
最後になったが、上述した各実施の形態の記載及び図面の開示は、特許請求の範囲に記載された発明を説明するための一例に過ぎず、上述した実施の形態の記載又は図面の開示によって特許請求の範囲に記載された発明が限定されることはない。
【符号の説明】
【０１３６】
５０          制御部
５５          識別部
５６          紙葉類記憶部（記憶部）
５９          操作表示部
６０          スタッカ（集積部）
７０          搬送部
１００        紙葉類処理装置
２１０        帯封一時保留部（集積部）
５００        管理装置
５６０        管理記憶部（記憶部）
【図１】
0006612025.tif 000002
【図２】
0006612025.tif 000003
【図３】
0006612025.tif 000004
【図４】
0006612025.tif 000005
【図５】
0006612025.tif 000006
【図６】
0006612025.tif 000007
【図７】
0006612025.tif 000008
【図８】
0006612025.tif 000009
【図９】
0006612025.tif 000010
【図１０】
0006612025.tif 000011
【図１１】
0006612025.tif 000012
【図１２】
0006612025.tif 000013
【図１３】
0006612025.tif 000014
【図１４】
0006612025.tif 000015